(57)【要約】【課題】歩行者が不安を覚える可能性を低減できる技術の提供。【解決手段】走行情報表示システムは、車両の周囲に存在する歩行者を示す歩行者情報を取得する歩行者情報取得部と、少なくとも前記歩行者情報に基づいて前記車両を自動走行させる自動走行計画を取得する走行計画取得部と、前記歩行者の存在に基づいて前記車両を停止させる前記自動走行計画が作成された場合、前記自動走行計画が示す停止予定位置を路面上に表示する路面表示部と、を備える。【選択図】図２
2017226371.tif 000002
【特許請求の範囲】
【請求項１】
車両の周囲に存在する歩行者を示す歩行者情報を取得する歩行者情報取得部と、
少なくとも前記歩行者情報に基づいて前記車両を自動走行させる自動走行計画を取得する走行計画取得部と、
前記歩行者の存在に基づいて前記車両を停止させる前記自動走行計画が作成された場合、前記自動走行計画が示す停止予定位置を路面上に表示する路面表示部と、
を備える走行情報表示システム。
【請求項２】
前記路面表示部は、前記自動走行計画が示す前記停止予定位置までの前記車両の経路を、前記停止予定位置とともに路面上に表示する、
請求項１に記載の走行情報表示システム。
【請求項３】
コンピュータを、
車両の周囲に存在する歩行者を示す歩行者情報を取得する歩行者情報取得部、
少なくとも前記歩行者情報に基づいて前記車両を自動走行させる自動走行計画を取得する走行計画取得部、
前記歩行者の存在に基づいて前記車両を停止させる前記自動走行計画が作成された場合、前記自動走行計画が示す停止予定位置を路面上に表示する路面表示部、
として機能させる走行情報表示プログラム。
【発明の詳細な説明】
【技術分野】
【０００１】
本発明は、走行情報表示システムおよび走行情報表示プログラムに関する。
【背景技術】
【０００２】
車両の運転者の意志を歩行者に通知する技術が知られている（特許文献１、参照）。特許文献１においては、車両の走行速度とブレーキ操作に基づいて運転者の停止意志の有無を予測し、車両に備えられた表示部にて運転者の停止意志を示す表示が行われる。
【先行技術文献】
【特許文献】
【０００３】
【特許文献１】特開２００５−３３２２９７号公報
【発明の概要】
【発明が解決しようとする課題】
【０００４】
しかしながら、特許文献１において、運転者の停止意志を歩行者に伝えることはできても、どの位置で車両が停止するかを歩行者が認識することができないという問題があった。例えば、歩行者は、歩行者との接触を避ける位置における停止位置で車両が停止する予定なのか、歩行者と無関係の別の理由で車両が停止するに過ぎないのかを判別できず、不安を覚えることとなる。特に、自動運転においては、運転者の視線等から歩行者が停止位置を予測することが困難となるため、上述した歩行者の不安は顕著となる。
本発明は、前記課題にかんがみてなされたもので、歩行者が不安を覚える可能性を低減できる技術を提供することを目的とする。
【課題を解決するための手段】
【０００５】
前記の目的を達成するため、走行情報表示システムは、車両の周囲に存在する歩行者を示す歩行者情報を取得する歩行者情報取得部と、少なくとも歩行者情報に基づいて車両を自動走行させる自動走行計画を取得する走行計画取得部と、歩行者の存在に基づいて車両を停止させる自動走行計画が作成された場合、自動走行計画が示す停止予定位置を路面上に表示する路面表示部と、を備える。
【０００６】
さらに、前記の目的を達成するため、走行情報表示プログラムは、コンピュータを、車両の周囲に存在する歩行者を示す歩行者情報を取得する歩行者情報取得部、少なくとも歩行者情報に基づいて車両を自動走行させる自動走行計画を取得する走行計画取得部、歩行者の存在に基づいて車両を停止させる自動走行計画が作成された場合、自動走行計画が示す停止予定位置を路面上に表示する路面表示部、として機能させる。
【０００７】
すなわち、走行情報表示システムおよび走行情報表示プログラムにおいては、車両が停止する予定の停止予定位置を路面上において明確に認識できる。自らと干渉しないような停止予定位置が設定されていることを歩行者が認識することで、歩行者が不安を覚える可能性を低減できる。つまり、自らを認識した上で自動走行計画が作成されていることを歩行者が認識することができ、歩行者が不安を覚える可能性を低減できる。
【図面の簡単な説明】
【０００８】
【図１】ナビゲーションシステムのブロック図である。
【図２】図２Ａ，図２Ｂは道路の平面図である。
【図３】走行情報表示処理のフローチャートである。
【発明を実施するための形態】
【０００９】
ここでは、下記の順序に従って本発明の実施の形態について説明する。
（１）ナビゲーションシステムの構成：
（２）走行情報表示処理：
（３）他の実施形態：
【００１０】
（１）ナビゲーションシステムの構成：
図１は、本発明の一実施形態にかかる走行情報表示システムを含むナビゲーションシステム１０の構成を示すブロック図である。ナビゲーションシステム１０は、車両に備えられており、ＣＰＵ，ＲＡＭ，ＲＯＭ等を備える制御部２０、記録媒体３０を備えている。ナビゲーションシステム１０は、記録媒体３０やＲＯＭに記憶されたプログラムを制御部２０で実行する。記録媒体３０には、予め地図情報３０ａが記録されている。
【００１１】
地図情報３０ａは、車両の位置や案内対象の施設の特定に利用される情報であり、車両が走行する道路上に設定されたノードの位置等を示すノードデータ，ノード間の道路の形状を特定するための形状補間点の位置等を示す形状補間点データ，ノード同士の連結を示すリンクデータ，道路やその周辺に存在する地物の位置等を示す地物データ等を含んでいる。
【００１２】
本実施形態における車両は、物体認識部４０とＧＰＳ受信部４１と車速センサ４２とジャイロセンサ４３と表示部４４と車両制御部４５とを備えている。ＧＰＳ受信部４１は、ＧＰＳ衛星からの電波を受信し、図示しないインタフェースを介して車両の現在地を算出するための信号を出力する。制御部２０は、この信号を取得して車両の現在地を取得する。車速センサ４２は、車両が備える車輪の回転速度に対応した信号を出力する。制御部２０は、図示しないインタフェースを介してこの信号を取得し、車速を取得する。
【００１３】
ジャイロセンサ４３は、車両の水平面内の旋回についての角加速度を検出し、車両の向きに対応した信号を出力する。制御部２０は、この信号を取得して車両の進行方向を取得する。車速センサ４２およびジャイロセンサ４３等は、車両の走行軌跡を特定するために利用され、本実施形態においては、車両の出発地と走行軌跡とに基づいて現在地が特定され、当該出発地と走行軌跡とに基づいて特定された車両の現在地がＧＰＳ受信部４１の出力信号に基づいて補正される。
【００１４】
なお、制御部２０は、車速センサ４２の出力信号や、車両の位置の時間変化等に基づいて車両の加速度を取得することができる。以上のように、本実施形態においては、ＧＰＳ受信部４１，車速センサ４２，ジャイロセンサ４３が車両の状態（位置、向き、速度、加速度）を取得するためのセンサとなっているが、むろん、他の手法、例えば、加速度センサに基づく加速度の特定やカメラによる車線検出による位置の特定、ステアリングセンサに基づく操舵角の特定等が車両の状態の取得に利用されてもよい。
【００１５】
物体認識部４０は、車両の周囲に存在する物体を検知するセンサであり、本実施形態においては、複数のカメラが物体認識部４０を構成する。すなわち、複数のカメラは、各カメラの画像をつなぎ合わせることで車両の周囲３６０°の範囲を撮影できるように車両に対して固定されている。制御部２０は、当該物体認識部４０の出力する風景画像を取得し、当該風景画像における特徴量の抽出等によって画像を解析することによって物体を認識する。物体には歩行者が含まれ、制御部２０は歩行者を認識する。
【００１６】
表示部４４は、路面上に任意の画像を表示する表示装置である。本実施形態において、表示部４４は、車両の前方からレーザー光を路面に投影する装置であり、制御部２０から出力された制御信号に基づいて路面上にレーザー光を投影する。表示部４４は、車両の前方の路面上の投影範囲内にてレーザー光を走査させながら、レーザー光の走査位置ごとにレーザー光のＯＮ／ＯＦＦを制御することにより、当該投影範囲内に任意の画像を表示する。制御部２０からの制御信号は、投影範囲内における各走査位置（画素）におけるレーザー光のＯＮ／ＯＦＦを特定する信号である。
【００１７】
車両制御部４５は、車両を動作させる装置を制御する装置である。車両を動作させる装置は、種々の装置を想定可能であり、本実施形態においては、内燃機関、ブレーキ、ステアリング、変速機が車両を動作させる装置に相当する。車両制御部４５は、これらの各装置に対して制御信号を出力し、その動作を制御する。この結果、車両制御部４５の指示により、内燃機関の回転数を制御し、ブレーキの制動力を制御し、ステアリングによる操舵角を制御し、変速機による変速比を制御する。
【００１８】
車両制御部４５は、制御部２０からの制御信号に応じてこれらの制御を行うことができ、制御部２０から時刻ごとの車両の位置、向き、速度、加速度を示す制御信号が出力されると、車両制御部４５は、当該制御信号に基づいて、指示された位置、向き、速度、加速度になるように各装置を制御する。この結果、制御部２０の制御によって車両を自動走行させることができる。むろん、以上の構成は一例であり、車両制御部４５の制御対象にモータ等の他の装置が含まれていてもよいし、制御の手法は、種々の手法を採用可能である。
【００１９】
制御部２０は、図示しないナビゲーションプログラムの機能により図示しない入力部を介してユーザによる目的地の入力を受け付け、車両の現在地から目的地までの走行予定経路を探索する。走行予定経路は、出発地から目的地までを接続する一連のリンクと当該リンク内にて走行が推奨される車線によって特定される。また、制御部２０は、走行予定経路に沿って車両を走行させるための自動走行計画を作成し、当該自動走行計画に沿って車両制御部４５の自動制御を実行する。
【００２０】
走行情報表示プログラム２１は、歩行者情報取得モジュール２１ａと走行計画取得モジュール２１ｂと路面表示モジュール２１ｃとを含む。歩行者情報取得モジュール２１ａは、車両の周囲に存在する歩行者を示す歩行者情報を取得する機能を制御部２０に実現させるプログラムモジュールである。本実施形態において、歩行者情報取得モジュール２１ａの機能により制御部２０は、物体認識部４０が撮影した風景画像を取得し、当該風景画像にて物体の特徴を示す特徴量を特定することにより、車両の周囲に存在する物体を認識する。
【００２１】
物体認識部４０は、一定の時間周期（例えば１００ｍｓ）ごとに車両の周囲を撮影した風景画像を出力する。風景画像内における物体の像の位置と実空間内での物体の位置とは予め対応づけられているため、制御部２０は、当該対応関係に基づいて車両の周囲の物体の位置を特定する。また、制御部２０は、風景画像に基づいて各物体の大きさ、形状を特定する。制御部２０は、風景画像においてパターンマッチング処理等を実施し、物体が歩行者であるか否かを判定する。また、制御部２０は、複数の時刻にて撮影された風景画像に基づいて歩行者の速度および加速度、移動方向を特定する。制御部２０は、歩行者ごとに位置と速度と加速度と移動方向とを示す歩行者情報を生成し、ＲＡＭに記録する。歩行者情報は、予め決められた時間周期ごと（物体認識部４０が最新の画像を撮影するごと）に取得される。また、歩行者情報は、歩行者との干渉を回避しながら車両を自動で走行させるために利用される。なお、制御部２０は、歩行者以外の物体についても回避しながら自動で走行するように構成されてもよく、歩行者以外の物体についても位置と速度と加速度と移動方向とを示す情報を生成してもよい。
【００２２】
走行計画取得モジュール２１ｂは、少なくとも歩行者情報に基づいて車両を自動走行させる自動走行計画を取得する機能を制御部２０に実現させるプログラムモジュールである。本実施形態において、走行計画取得モジュール２１ｂの機能により制御部２０は、歩行者情報に基づいて、現在以降の予め決められた期間（例えば、数秒間）内における時刻ごとの車両の位置と向き、各時刻における速度および加速度を決定し、これらを示す自動走行計画を取得する。自動走行計画は走行予定経路に沿って車両を走行させるための計画であるが、自動走行計画が示す時刻ごとの車両の位置の軌跡を走行予定経路と区別して自動走行経路と表記する。
【００２３】
また、制御部２０は、歩行者情報に基づいて、現在以降の予め決められた期間内における時刻ごとの歩行者の移動予測経路を特定する。歩行者の移動予測経路は種々の手法で特定することができ、例えば制御部２０は、歩行者が等速度運動や等加速度運動を行うと仮定して移動予測経路を特定してもよい。
【００２４】
次に、制御部２０は、歩行者の移動予測経路が示す歩行者の時刻ごとの位置に基づいて、自動走行計画に沿って走行する車両と、歩行者とが干渉するか否かを判定する。すなわち、制御部２０は、自動走行計画が示す時刻ごとの車両の位置と、歩行者の時刻ごとの位置とを比較し、同一時刻における両者の距離の最小値が予め決められた閾値よりも大きければ、歩行者と車両とが干渉しないと判定する。自動走行計画に沿って走行する車両と歩行者とが干渉しないと判定された場合、制御部２０は、自動走行計画を修正することなく維持する。
【００２５】
一方、制御部２０は、自動走行計画が示す時刻ごとの車両の位置と、歩行者の時刻ごとの位置とを比較し、同一時刻における両者の距離の最小値が予め決められた閾値以下であれば、歩行者と車両とが干渉すると判定する。自動走行計画に沿って走行する車両と歩行者とが干渉すると判定された場合、制御部２０は、自動走行計画を修正する。具体的に、制御部２０は、歩行者と車両との干渉を回避するために、干渉が予測される位置の手前にて車両を停止させるように自動走行計画を修正する。ここで、干渉が予測される位置とは、歩行者と車両との距離が最初に閾値以下となる時刻における車両の位置である。例えば、制御部２０は、自動走行経路上において、干渉が予測される位置から手前側（出発地側）に一定距離（例えば５ｍ）だけ離れた位置を停止予定位置として設定する。そして、制御部２０は、停止予定位置にて車両の速度が０となるように、自動走行計画が示す車両の速度と加速度とを修正する。以上のように停止予定位置が設定された自動走行計画は、歩行者の存在に基づいて車両を停止させる自動走行計画に該当する。
【００２６】
なお、歩行者情報は時間周期ごとに取得され、歩行者情報が取得されるごとに自動走行計画の修正の必要性が判断される。歩行者が進路を引き返した場合等においては、一旦、車両と歩行者とが干渉すると判定された後に干渉しないと判定されるようになることも有り得る。このような場合、制御部２０は、停止するように修正した自動走行計画を、停止しないように再度修正する。また、歩行者情報が示す歩行者の速度等が変化することにより、停止予定位置が変化し得る。このような場合、制御部２０は、すでに設定されている停止予定位置を修正するように、自動走行計画を修正する。また、制御部２０は、停止することなく減速と操舵のみで歩行者との干渉を回避するように自動走行計画を修正してもよいが、停止することなく歩行者との干渉を回避する自動走行計画は、歩行者の存在に基づいて車両を停止させる自動走行計画には該当しない。
【００２７】
路面表示モジュール２１ｃは、歩行者の存在に基づいて車両を停止させる自動走行計画が作成された場合、自動走行計画が示す停止予定位置を路面上に表示する機能を制御部２０に実現させるプログラムモジュールである。具体的に、路面表示モジュール２１ｃの機能により制御部２０は、修正後の自動走行計画が示す停止予定位置に停止マークを表示するように表示部４４を制御する。
【００２８】
図２Ａ，図２Ｂは、道路の平面図である。図２Ａにおいては、紙面左側に直進する自動走行経路Ａ（実線矢印）が示されている。自動走行経路Ａは横断歩道Ｈを通過する。歩行者Ｗ1の速度Ｖ1は、車両Ｃとほぼ同一時刻に位置Ｑに到達するものであり、自動走行計画に沿って走行する車両Ｃと歩行者Ｗ1とが横断歩道Ｈ上にて干渉すると判定される。一方、歩行者Ｗ2の速度Ｖ2は車両Ｃが移動する予定の自動走行経路Ａと一定の距離を保って移動するものに過ぎず、自動走行計画に沿って走行する車両Ｃと歩行者Ｗ2とが干渉すると判定されない。従って、歩行者Ｗ1についての歩行者情報が取得された段階で自走走行計画が修正されることとなる。
【００２９】
図２Ｂにおいて、歩行者Ｗ1との干渉を回避するために車両Ｃを停止させる位置である停止予定位置Ｓに停止マークＭＳが表示されている。本実施形態において、停止マークＭＳは、通行止めの道路標識を模したマークである。停止マークＭＳは、車両Ｃが停止することを連想させるものであればよく、車両Ｃが停止することを表す文字であってもよい。
【００３０】
制御部２０は、修正後の自動走行計画が示す現在の車両Ｃの位置と方向に基づいて、現在における表示部４４の投影範囲Ｐ（破線枠内）を特定する。現在の車両Ｃの位置は、ＧＰＳ受信部４１や車速センサ４２やジャイロセンサ４３を利用して特定された現在地であってもよいし、物体認識部４０が撮影した風景画像における白線等の認識によって特定されてもよい。制御部２０は、現在における表示部４４の投影範囲Ｐにおいて停止予定位置Ｓを特定し、当該停止予定位置Ｓにて停止マークＭＳを表示させるための制御信号を表示部４４に出力する。停止予定位置Ｓは、自動走行経路Ａ上において、干渉が予測される位置Ｑから手前側（出発地側）に一定距離だけ離れた位置である。
【００３１】
路面表示モジュール２１ｃの機能により制御部２０は、自動走行計画が示す停止予定位置Ｓまでの車両Ｃの経路を、停止予定位置Ｓとともに路面上に表示する。すなわち、制御部２０は、修正後の自動走行計画が示す自動走行経路Ａを示す経路マークＭＡを路面上に表示する。図示しないが、修正後の自動走行計画が示す自動走行経路Ａは、修正前の自動走行計画が示す自動走行経路Ａが停止予定位置Ｓで終了した経路である。経路マークＭＡは、自動走行経路Ａが幅方向の中央を通過する一定幅の線であり、車両Ｃの前方近傍（例えば２ｍ前方）から停止マークＭＳの近傍（例えば５０ｃｍ手前）までを接続する線である。むろん、停止マークＭＳと経路マークＭＡは互いに接続していてもよい。また、停止マークＭＳの表示を省略し、経路マークＭＡが終了している位置によって停止予定位置Ｓが表されてもよい。
【００３２】
以上のような本実施形態によれば、自動走行計画が示す停止予定位置Ｓを路面上に表示するため、車両Ｃが停止する予定の停止予定位置Ｓを路面上において明確に認識できる。自らと干渉しないような停止予定位置Ｓが設定されていることを歩行者Ｗ1が認識することで、歩行者Ｗ1が不安を覚える可能性を低減できる。つまり、自らを認識した上で自動走行計画が作成されていることを歩行者Ｗ1が認識することができ、歩行者Ｗ1が不安を覚える可能性を低減できる。
【００３３】
また、自動走行計画が示す停止予定位置Ｓまでの車両Ｃの自動走行経路Ａを、停止予定位置Ｓとともに路面上に表示することにより、車両Ｃが停止予定位置Ｓに接近する方向を歩行者Ｗ1が容易に認識できる。すなわち、歩行者Ｗ1は、どの方向から車両Ｃが接近してくるかを認識でき、当該車両Ｃに注意を払うことができる。
【００３４】
（２）走行情報表示処理：
次に、図３に示すフローチャートを用いて制御部２０が実行する走行情報表示処理を説明する。走行情報表示処理は、自動運転が行われている期間において、予め決められた時間周期で歩行者情報が取得されるごと（物体認識部４０が最新の風景画像を撮影するごと）に実行される処理である。すなわち、走行情報表示処理は、自動走行計画が作成され、当該自動走行計画に基づいて自動運転が行われている期間において繰り返し実行される。
【００３５】
まず、歩行者情報取得モジュール２１ａの機能により制御部２０は、歩行者情報を取得する（ステップＳ１００）。すなわち、制御部２０は、物体認識部４０が撮影した最新の風景画像に基づいて認識された歩行者の情報を示す歩行者情報を取得する。
【００３６】
次に、走行計画取得モジュール２１ｂの機能により制御部２０は、車両Ｃと歩行者とが干渉するか否かを判定する（ステップＳ１１０）。すなわち、制御部２０は、自動走行計画が示す時刻ごとの車両Ｃの位置と、歩行者の時刻ごとの位置とを比較し、同一時刻における両者の距離の最小値が予め決められた閾値以下であれば、歩行者と車両Ｃとが干渉すると判定する。
【００３７】
車両Ｃと歩行者とが干渉すると判定した場合（ステップＳ１１０：Ｙ）、走行計画取得モジュール２１ｂの機能により制御部２０は、停止予定位置Ｓを設定する（ステップＳ１２０）。すなわち、制御部２０は、自動走行経路Ａ上において、干渉が予測される位置Ｑから手前側（出発地側）に一定距離（例えば５ｍ）だけ離れた位置を停止予定位置Ｓとして設定する。なお、すでに停止予定位置Ｓが設定されている場合、制御部２０は、最新の歩行者情報に基づいて特定した停止予定位置Ｓへと停止予定位置Ｓを修正する。
【００３８】
一方、車両Ｃと歩行者とが干渉すると判定しなかった場合（ステップＳ１１０：Ｎ）、走行計画取得モジュール２１ｂの機能により制御部２０は、停止予定位置Ｓを設定しない（ステップＳ１３０）。すでに停止予定位置Ｓが設定されていた場合、制御部２０は、停止予定位置Ｓを削除する。一方、停止予定位置Ｓが設定されていなかった場合、制御部２０は、停止予定位置Ｓを設定することなく次のステップに進む。
【００３９】
次に、走行計画取得モジュール２１ｂの機能により制御部２０は、自動走行計画を修正する（ステップＳ１４０）。すなわち、制御部２０は、ステップＳ１２０，Ｓ１３０における停止予定位置Ｓの設定有無の変化や停止予定位置Ｓの修正に応じて、自動走行計画を修正する。ステップＳ１４０の後においては、修正後の自動走行計画に基づいて車両Ｃの自動制御が行われることとなる。
【００４０】
次に、路面表示モジュール２１ｃの機能により制御部２０は、停止予定位置Ｓが設定されているか否かを判定する（ステップＳ１５０）。すなわち、制御部２０は、直前のステップＳ１４０にて修正された最新の自動走行計画において停止予定位置Ｓが設定されているか否かを判定する。停止予定位置Ｓが設定されていることは、歩行者の存在に基づいて車両Ｃを停止させる自動走行計画が取得されていることを意味する。
【００４１】
停止予定位置Ｓが設定されていると判定した場合（ステップＳ１５０：Ｙ）、路面表示モジュール２１ｃの機能により制御部２０は、停止予定位置Ｓと自動走行経路Ａとを路面上に表示する（ステップＳ１６０）。すなわち、図２Ｂに示すように、制御部２０は、停止予定位置Ｓまでの自動走行経路Ａを示す経路マークＭＡを、停止予定位置Ｓを示す停止マークＭＳとともに路面上に表示する。停止予定位置Ｓと自動走行経路Ａとを路面上に表示すると、ステップＳ１００に戻り、最新の歩行者情報が取得されるまで待機する。一方、停止予定位置Ｓが設定されていると判定しなかった場合（ステップＳ１５０：Ｎ）、制御部２０は、そのままステップＳ１００に戻り、最新の歩行者情報が取得されるまで待機する。
【００４２】
（３）他の実施形態：
以上の実施形態は本発明を実施するための一例であり、他にも種々の実施形態を採用可能である。例えば、走行情報表示システムは、車両Ｃ等に搭載された装置であってもよいし、可搬型の端末によって実現される装置であってもよいし、複数の装置（例えば、クライアントとサーバや、ナビゲーション装置内の制御部と車両Ｃ制御装置内のＥＣＵ等）によって実現されるシステムであってもよい。
【００４３】
走行情報表示システムを構成する歩行者情報取得モジュール２１ａと走行計画取得モジュール２１ｂと路面表示モジュール２１ｃの少なくとも一部が複数の装置に分かれて存在する構成としては、種々の構成が想定される。例えば、車両制御部４５内のＥＣＵによって歩行者情報の取得、走行計画の取得が行われ、ナビゲーションシステム１０の制御部２０によって表示制御が行われる構成等であってもよい。
【００４４】
むろん、上述の実施形態の一部の構成が省略されてもよいし、処理の順序が変動または省略されてもよい。例えば、路面上に自動走行経路Ａを必ずしも表示しなくてもよく、制御部２０は、路面上に停止マークＭＳを単独で表示してもよい。
【００４５】
歩行者情報取得部は、車両の周囲に存在する歩行者を示す歩行者情報を取得することができればよい。すなわち、歩行者情報取得部は、車両で歩行者を回避しながら自動で走行するために必要な歩行者に関する情報を歩行者情報として取得することができればよい。歩行者は、車両の自動走行計画に影響を与え得る歩行者であればよく、移動中の歩行者であってもよいし、停止中の歩行者であってもよい。
【００４６】
歩行者情報は、自動走行計画を取得するために考慮され得る情報であればよく、例えば、歩行者の状態を示す情報（位置、速度、加速度、大きさ、形状等）であってもよいし、歩行者の予想移動軌跡を示す情報であってもよいし、歩行者の可動範囲を示す情報であってもよく、種々の態様を想定可能である。歩行者情報を取得するための手法は、種々の手法を採用可能であり、カメラで撮影された画像を画像認識処理することによって取得されてもよいし、超音波センサ等の距離センサによって取得されてもよいし、車車間通信や路車間通信等によって取得されてもよいし、画像等に基づいて人工知能の処理によって歩行者情報が取得されてもよい。むろん、歩行者情報取得部は、歩行者情報を取得するためのセンサを含んでいてもよいし、センサに基づいて制御部等で生成された歩行者情報が歩行者情報取得部に取得される構成であってもよい。
【００４７】
走行計画取得部は、少なくとも歩行者情報に基づいて車両を自動走行させる自動走行計画を取得することができればよい。すなわち、走行計画取得部は、歩行者情報に基づいて、歩行者と車両とが干渉しないように車両の位置、向き、速度、加速度の少なくとも一つを決定し、これらを示す自動走行計画を取得してもよい。ここで、自動走行計画が示す時系列の車両の位置は、車両の経路を意味する。自動走行計画は、種々の手法によって作成してもよく、例えば、歩行者情報に基づいて歩行者の移動予測経路を予測し、当該移動予測経路に基づいて自動走行計画を作成してもよい。
【００４８】
移動予測経路に基づく自動走行計画の作成は、種々の手法で実現されてよく、例えば、時刻ごとの歩行者の位置を示す移動予測経路に基づいて、任意の歩行者と干渉しないように時刻ごとの車両の位置を決定し、時刻ごとに当該車両の位置に達するように車両の位置、向き、速度、加速度等を制御する計画を特定してもよい。なお、自動走行計画は、走行計画取得部によって作成されてもよいし、他の制御部等で作成された自動走行計画を示す情報が走行計画取得部によって取得されてもよい。むろん、自動走行計画の作成に際して歩行者情報以外の任意の情報（例えば、道路の形状やリンクを示す地図情報、天候情報等）が参照されてもよい。
【００４９】
自動走行計画は、車両の将来の走行についての計画であればよく、長さは任意である。例えば、現在以降の予め決められた距離または期間における自動走行計画が取得されてもよいし、目的地までの自動走行計画が取得されてもよい。
【００５０】
路面表示部は、歩行者の存在に基づいて車両を停止させる自動走行計画が作成された場合、自動走行計画が示す停止予定位置を路面上に表示することができればよい。ここで、歩行者の存在に基づいて車両を停止させる自動走行計画が作成された場合とは、歩行者と車両とが干渉しないようにするために車両を停止させることが必要であると判断された場合である。例えば、停止することなく歩行者との距離を閾値以上確保して車両が通過するような自動走行計画が作成された場合は、歩行者の存在に基づいて車両を停止させる自動走行計画が作成された場合とはならない。また、例えば歩行者の存在とは無関係（信号機，一時停止線等ために）に車両が停止するような自動走行計画が作成された場合は、歩行者の存在に基づいて車両を停止させる自動走行計画が作成された場合とはならない。
【００５１】
自動走行計画が示す停止予定位置とは、自動走行計画において車速が０となることが計画されている位置である。車速が０となることには、車速の絶対値が０近傍の値（例えば１ｋｍ／時）以下となることが含まれてもよい。歩行者の存在に基づいて車両を停止させる自動走行計画が作成された場合には、停止時における歩行者の位置と停止予定位置とがある程度接近した位置となる。また、停止予定位置にて停止した後は、自動制御を中断し、人為的に安全を確認してから車両の移動を再開できるようにされてもよい。
【００５２】
路面表示部は、停止予定位置を路面上に表示するように表示装置を制御すればよく、表示装置は車両に備えられてもよいし、表示装置は道路に備えられた設備であってもよい。より具体的に、表示装置は、停止予定位置を示す画像を路面上に投影光する発光する投影装置であってもよい。投影光はレーザー光であってもよいし、停止予定位置を示す画像は単一色であってもよいし、カラーであってもよい。停止予定位置が表示されていることを歩行者が確実に認識できるように、音声等によって停止予定位置が表示されていることを報知してもよいし、歩行者の視界内の路面上に停止予定位置が表示されていることを示す画像を表示してもよい。
【００５３】
また、路面表示部は、自動走行計画が示す停止予定位置までの車両の経路を、停止予定位置とともに路面上に表示してもよい。これにより、車両が停止予定位置に接近する方向を歩行者が容易に認識できる。すなわち、歩行者は、どの方向から車両が接近してくるかを認識でき、当該車両に注意を払うことができる。車両の経路とは、停止予定位置から予め決められた距離以内の経路であってもよいし、停止予定時刻から予め決められた期間以内の経路であってもよい。なお、停止予定位置と経路とは、必ずしも独立した画像によって表されなくてもよく、停止予定位置と経路の双方を表す画像が路面上に表示されてもよい。
【００５４】
さらに、本発明のように、停止予定位置を路面上に表示する手法は、プログラムや方法としても適用可能である。また、以上のような走行情報表示システム、プログラム、方法は、単独の装置として実現される場合もあれば、車両に備えられる各部と共有の部品を利用して実現される場合もあり、各種の態様を含むものである。すなわち、走行情報表示システムを構成する各手段が複数の実体的な装置に分散して備えられてもよい。各手段が複数の実体的な装置に分散して備えられる場合に、各手段を機能させるために必要なデータを送受信する通信手段が備えられてもよい。さらに、以上のような走行情報表示システムの少なくとも一部を備えたナビゲーション装置や方法、プログラムを提供することが可能である。また、一部がソフトウェアであり一部がハードウェアであったりするなど、適宜、変更可能である。さらに、走行情報表示システムを制御するプログラムの記録媒体としても発明は成立する。むろん、そのソフトウェアの記録媒体は、磁気記録媒体であってもよいし光磁気記録媒体であってもよいし、今後開発されるいかなる記録媒体においても全く同様に考えることができる。
【符号の説明】
【００５５】
１０…ナビゲーションシステム、２０…制御部、２１…走行情報表示プログラム、２１ａ…歩行者情報取得モジュール、２１ｂ…走行計画取得モジュール、２１ｃ…路面表示モジュール、２１ｄ…走行計画報知モジュール、３０…記録媒体、３０ａ…地図情報、４０…物体認識部、４１…ＧＰＳ受信部、４２…車速センサ、４３…ジャイロセンサ、４４…表示部、４５…車両制御部、Ａ…自動走行経路、Ｃ…車両、Ｈ…横断歩道、ＭＡ…経路マーク、ＭＳ…停止マーク、Ｐ…投影範囲、Ｓ…停止予定位置
【図１】
2017226371.tif 000003
【図２】
2017226371.tif 000004
【図３】
2017226371.tif 000005